(57)【要約】【課題】放送チャネル切替やオートチャネルサーチを迅速に行い、使用者の操作ストレスをより軽減させるＯＦＤＭ信号受信装置及びＯＦＤＭ信号受信方法を実現する。【解決手段】ＩＦ処理、復調処理及びデコードを行う主系統とは別に設けられた副系統において、中間出力信号をデジタル化し、周波数帯域毎に複数に分類し、それぞれの帯域についての放送波の有無を出力信号レベルを元に検出するようにした。【選択図】図１
2005244481.tif 000002
【特許請求の範囲】
【請求項１】
受信したＯＦＤＭ信号から複数放送波分の周波数帯域の信号を取り出し、第１の周波数を中心周波数とする中間出力信号に変換して出力するＲＦ処理手段と、
前記中間出力信号から一の放送波の周波数帯域の信号を取り出し、第２の周波数を中心周波数とする放送波信号に変換して出力するＩＦ処理手段と、
前記放送波信号を復調して復調信号として出力する復調処理手段と、
前記中間出力信号をＡ／Ｄ変換した後、複数の帯域に分割して特定帯域信号として出力する帯域分割手段と、
前記特定帯域信号それぞれについて放送波の有無を検出することにより前記複数放送波分の周波数帯域の全域に亘って放送波の有無を検出し、これを検出結果信号として出力する放送波有無検出手段と、
を備えることを特徴とするＯＦＤＭ信号受信装置。
【請求項２】
受信したＯＦＤＭ信号から一の放送波の周波数帯域の信号を取り出し、所定の周波数を中心周波数とする放送波信号に変換して出力するチューナ手段と、
前記放送波信号をＡ／Ｄ変換して放送波デジタル信号として出力するＡＤ変換手段と、
前記放送波デジタル信号を復調して復調信号として出力する復調処理手段と、
前記放送波デジタル信号を複数の帯域に分割して特定帯域信号として出力する帯域分割手段と、
前記特定帯域信号それぞれについて放送波の有無を検出することにより前記一の放送波の周波数帯域の全域に亘って放送波の有無を検出し、これを検出結果信号として出力する放送波有無検出手段と、
を備えることを特徴とするＯＦＤＭ信号受信装置。
【請求項３】
受信したＯＦＤＭ信号から第１の放送波の周波数帯域の信号を取り出し、所定の周波数を中心周波数とする第１の放送波信号に変換して出力する第１チューナ手段と、
前記第１の放送波信号を復調して復調信号として出力する復調処理手段と、
受信したＯＦＤＭ信号から第２の放送波の周波数帯域の信号を取り出し、所定の周波数を中心周波数とする第２の放送波信号に変換して出力する第２チューナ手段と、
前記第２の放送波信号に放送波が含まれているか否かを検出し検出結果信号を出力する放送波有無検出手段と、
を備え、前記第２チューナ手段による取り出し対象の周波数帯域を次々変化させることで、受信したＯＦＤＭ信号の周波数帯域全域に亘る放送波の有無の検出が前記放送波有無検出手段により行われることを特徴とするＯＦＤＭ信号受信装置。
【請求項４】
受信したＯＦＤＭ信号から複数放送波分の周波数帯域の信号を取り出し、第１の周波数を中心周波数とする中間出力信号に変換して出力するＲＦ処理手段と、
前記中間出力信号から第１の放送波の周波数帯域の信号を取り出し、第２の周波数を中心周波数とする第１の放送波信号に変換して出力する第１のＩＦ処理手段と、
前記第１の放送波信号を復調して復調信号として出力する復調処理手段と、
前記中間出力信号から第２の放送波の周波数帯域の信号を取り出し、前記第２の周波数を中心周波数とする第２の放送波信号に変換して出力する第２のＩＦ処理手段と、
前記第２の放送波信号に放送波が含まれているか否かを検出することにより前記複数放送波分の周波数帯域の全域に亘って放送波の有無を検出し、これを検出結果信号として出力する放送波有無検出手段と、
を備えることを特徴とするＯＦＤＭ信号受信装置。
【請求項５】
前記放送波有無検出手段は、前記第２の放送波信号をＡ／Ｄ変換した後に直交復調して同期再生することで放送波が含まれているか否かを検出する手段であることを特徴とする請求項３又は４に記載のＯＦＤＭ信号受信装置。
【請求項６】
受信したＯＦＤＭ信号から複数放送波分の周波数帯域の信号を取り出し、第１の周波数を中心周波数とする中間出力信号に変換して出力するＲＦ処理工程と、
前記中間出力信号から一の放送波の周波数帯域の信号を取り出し、第２の周波数を中心周波数とする放送波信号に変換して出力するＩＦ処理工程と、
前記放送波信号を復調して復調信号として出力する復調処理工程と、
前記中間出力信号をＡ／Ｄ変換した後、複数の帯域に分割して特定帯域信号として出力する帯域分割工程と、
前記特定帯域信号それぞれについて放送波の有無を検出することにより前記複数放送波分の周波数帯域の全域に亘って放送波の有無を検出し、これを検出結果信号として出力する放送波有無検出工程と、
を含むことを特徴とするＯＦＤＭ信号受信方法。
【請求項７】
受信したＯＦＤＭ信号から一の放送波の周波数帯域の信号を取り出し、所定の周波数を中心周波数とする放送波信号に変換して出力するチューナ工程と、
前記放送波信号をＡ／Ｄ変換して放送波デジタル信号として出力するＡＤ変換工程と、
前記放送波デジタル信号を復調して復調信号として出力する復調処理工程と、
前記放送波デジタル信号を複数の帯域に分割して特定帯域信号として出力する帯域分割工程と、
前記特定帯域信号それぞれについて放送波の有無を検出することにより前記一の放送波の周波数帯域の全域に亘って放送波の有無を検出し、これを検出結果信号として出力する放送波有無検出工程と、
を含むことを特徴とするＯＦＤＭ信号受信方法。
【請求項８】
受信したＯＦＤＭ信号から第１の放送波の周波数帯域の信号を取り出し、所定の周波数を中心周波数とする第１の放送波信号に変換して出力する第１チューナ工程と、
前記第１の放送波信号を復調して復調信号として出力する復調処理工程と、
受信したＯＦＤＭ信号から第２の放送波の周波数帯域の信号を取り出し、所定の周波数を中心周波数とする第２の放送波信号に変換して出力する第２チューナ工程と、
前記第２の放送波信号に放送波が含まれているか否かを検出し検出結果信号を出力する放送波有無検出工程と、
を含み、前記第２チューナ工程による取り出し対象の周波数帯域を次々変化させることで、受信したＯＦＤＭ信号の周波数帯域全域に亘る放送波の有無の検出が前記放送波有無検出工程により行われることを特徴とするＯＦＤＭ信号受信方法。
【請求項９】
受信したＯＦＤＭ信号から複数放送波分の周波数帯域の信号を取り出し、第１の周波数を中心周波数とする中間出力信号に変換して出力するＲＦ処理工程と、
前記中間出力信号から第１の放送波の周波数帯域の信号を取り出し、第２の周波数を中心周波数とする第１の放送波信号に変換して出力する第１のＩＦ処理工程と、
前記第１の放送波信号を復調して復調信号として出力する復調処理工程と、
前記中間出力信号から第２の放送波の周波数帯域の信号を取り出し、前記第２の周波数を中心周波数とする第２の放送波信号に変換して出力する第２のＩＦ処理工程と、
前記第２の放送波信号に放送波が含まれているか否かを検出することにより前記複数放送波分の周波数帯域の全域に亘って放送波の有無を検出し、これを検出結果信号として出力する放送波有無検出工程と、
を含むことを特徴とするＯＦＤＭ信号受信方法。
【発明の詳細な説明】
【技術分野】
【０００１】
本発明は、ＯＦＤＭ（Orthogonal Frequency Division Multiplexing：直交周波数分割多重）信号受信装置及びＯＦＤＭ信号受信方法に関し、例えば地上波デジタル放送受像機に適用して好適なものである。
【背景技術】
【０００２】
現在、地上波デジタルテレビ放送等に用いられる伝送技術として、ＯＦＤＭ（Orthogonal Frequency Division Multiplexing：直交周波数分割多重）方式が用いられている。
このＯＦＤＭ方式は、伝送帯域内に多数の直交する副搬送波（サブキャリア）を設け、それぞれのサブキャリアの振幅及び位相にデータを割り当て、ＰＳＫ（Phase Shift Keying）やＱＡＭ（Quadrature Amplitude Modulation ）によりデジタル変調する方式である。フェージング（壁などで反射した電波による干渉）や、いわゆるマルチパス妨害に強い等の特長を有し、マルチパス妨害の影響を強く受ける地上波によるデジタル信号の伝送に用いられている他、移動体通信において有効とされている。
【０００３】
地上波デジタルテレビ放送の放送チャネルの周波数帯域はＵＨＦ（４７０ＭＨｚ〜７７０ＭＨｚ）であり、この幅３００ＭＨｚの周波数帯域が、１３〜６２ｃｈの４９放送チャネルに分割され各放送局に割当てられている。
更に地上波デジタルテレビ放送では、この１放送チャネル（帯域幅にして６ＭＨｚ）を１４分割したうちの１３個の周波数ブロック（以下、セグメントと呼ぶ。）を使用して、１放送チャネルの中で複数のサービスを同時に提供し得るようになされている。
【０００４】
かかる地上波デジタルテレビ放送の受信装置としては、図８に示すＯＦＤＭ信号受信機９が一般的に用いられている。
図８に示すようにＯＦＤＭ信号受信機９は、アンテナ９１、チューナ９２、復調回路部９３及びデコーダ９４等を備えて構成され、復調回路部９３は更に、アナログ／デジタル変換器（ＡＤＣ）９３１、同期回路９３２、復調回路９３３及び誤り訂正回路９３４等を備えて構成されている。
【０００５】
アンテナ９１から受信された電波は、まずチューナ９２で増幅及び所望の放送波に同調され、放送波信号として復調回路部９３へ出力される。
この放送波信号は、復調回路部９３のＡＤＣ９３１でデジタル化された後、同期回路９３２で直交復調による同期再生を施され、復調回路９３３で復調処理され、誤り訂正回路９３４において時間デインタリーブ等の誤り訂正処理を施されて、かくしてＴＳ（Transport Stream：トランスポート・ストリーム）としてデコーダ９４へ出力される。
デコーダ９４は、このＴＳに復号処理を施してＯＦＤＭ信号受信機９の外部へ出力し、かくしてＯＦＤＭ信号受信機９を内蔵する装置（図示せず。）は、この出力信号を用いてテレビ放送としての画像表示及び音声出力等を行う。
【０００６】
ところで、かかるＯＦＤＭ信号受信機９においては、チューナ９２が所望の放送波に同調し安定した放送波信号を出力する処理に約０．１秒、同期回路９３２が同期再生の処理を行う際に約０．４秒、誤り訂正回路９３４が誤り訂正処理を行う際に約０．４秒、そしてデコーダ９４がＴＳに復号処理を施してＯＦＤＭ信号受信機９の外部へ出力する処理に最大０．５秒もの時間をそれぞれ要すことが知られている。
【０００７】
これは即ち、例えば放送チャネルを切替える際、操作があってから画面表示までに約１．４秒もの時間を要すことを意味している。また、ＵＨＦ中の全放送チャネルについて放送波の出力有無を調べる、いわゆる「オートチャネルサーチ」動作においては、誤り訂正処理までの処理（約０．９秒）が全４９放送チャネル分に亘って行われることにより、概ね１分もの時間を要すことを意味している。
このようにＯＦＤＭ信号受信機９においては、使用者のストレスとなり得る待ち時間が大きいという問題があった。
【０００８】
そこで、かかる操作ストレスを低減する目的で、多数のサブキャリアのうちヌルキャリアを除いた残りだけを復調に用いるようにすることで高速なマルチキャリア変復調を実現し、受信動作速度を向上させる方法（以下、第１の方法と呼ぶ。）が提案されている（例えば、特許文献１参照）。
また、ＯＦＤＭ放送波とＴＶ放送波とを識別しＴＶ放送波の場合はＦＦＴ等の処理を行わないようにすることで、目的とするＯＦＤＭ放送の信号とＴＶ放送信号との周波数帯が隣接していても余計な処理を行わないようにし、迅速に自動同調する方法（以下、第２の方法と呼ぶ。）が提案されている（例えば、特許文献２参照）。
【特許文献１】特開２００３−８７２１４号公報
【特許文献２】特開平１１−１８６８７９号公報
【発明の開示】
【発明が解決しようとする課題】
【０００９】
しかしながら、かかる第２の方法においては、受信した電波がＴＶ放送波の場合にはＦＦＴ等の処理を行わないようにするだけであり、ＯＦＤＭ放送信号を処理する際の所要時間が削減されるわけでなく、ＯＦＤＭ放送信号に対するオートチャネルサーチ等に要する時間が減少されるわけではない。
また、上記の第１の方法は、放送波に対する同期処理や誤り訂正処理に関する改良点を何ら開示しないものであり、同期処理や誤り訂正処理に要する時間の問題が解消されてはいない。
このように、未だ使用者の操作ストレスとなる要因を留めているという問題があった。
【００１０】
本発明は以上の点を考慮してなされたもので、放送チャネル切替やオートチャネルサーチを迅速に行い、使用者の操作ストレスをより低減させるＯＦＤＭ信号受信装置及びＯＦＤＭ信号受信方法を提供することを目的としている。
【課題を解決するための手段】
【００１１】
かかる課題を解決するため請求項１に記載のＯＦＤＭ信号受信装置（例えば、図１のＯＦＤＭ信号受信機１）においては、
受信したＯＦＤＭ信号から複数放送波分の周波数帯域の信号を取り出し、第１の周波数を中心周波数とする中間出力信号に変換して出力するＲＦ処理手段（例えば、図１のＲＦ回路部１２ａ）と、
前記中間出力信号から一の放送波の周波数帯域の信号を取り出し、第２の周波数を中心周波数とする放送波信号に変換して出力するＩＦ処理手段（例えば、図１のＩＦ回路部１２ｂ）と、
前記放送波信号を復調して復調信号として出力する復調処理手段（例えば、図１の復調処理部１３ａ）と、
前記中間出力信号をＡ／Ｄ変換した後、複数の帯域に分割して特定帯域信号として出力する帯域分割手段（例えば、図１のＡＤＣ１３５、低域ＢＰＦ１３６、中域ＢＰＦ１３７及び高域ＢＰＦ１３８）と、
前記特定帯域信号それぞれについて放送波の有無を検出することにより前記複数放送波分の周波数帯域の全域に亘って放送波の有無を検出し、これを検出結果信号として出力する放送波有無検出手段（例えば、図１の検出回路１３９）と、
を備えることを特徴としている。
【００１２】
また、請求項６に記載のＯＦＤＭ信号受信方法においては、
受信したＯＦＤＭ信号から複数放送波分の周波数帯域の信号を取り出し、第１の周波数を中心周波数とする中間出力信号に変換して出力するＲＦ処理工程（例えば、図１のＲＦ回路部１２ａによる処理）と、
前記中間出力信号から一の放送波の周波数帯域の信号を取り出し、第２の周波数を中心周波数とする放送波信号に変換して出力するＩＦ処理工程（例えば、図１のＩＦ回路部１２ｂによる処理）と、
前記放送波信号を復調して復調信号として出力する復調処理工程（例えば、図１の復調処理部１３ａによる処理）と、
前記中間出力信号をＡ／Ｄ変換した後、複数の帯域に分割して特定帯域信号として出力する帯域分割工程（例えば、図１のＡＤＣ１３５、低域ＢＰＦ１３６、中域ＢＰＦ１３７及び高域ＢＰＦ１３８による処理）と、
前記特定帯域信号それぞれについて放送波の有無を検出することにより前記複数放送波分の周波数帯域の全域に亘って放送波の有無を検出し、これを検出結果信号として出力する放送波有無検出工程（例えば、図１の検出回路１３９による処理）と、
を含むことを特徴としている。
【００１３】
従って、この請求項１に記載のＯＦＤＭ信号受信装置及び請求項６に記載のＯＦＤＭ信号受信方法によれば、放送波信号の復調を行う主系統における処理とは独立に、ごく簡易な処理のみによって、複数放送チャネル分に相当する周波数帯域に亘って放送波の有無を検出して装置外部へ出力し得るから、受信中チャネル近傍や隣（前や後）で放送中の放送チャネルに切替える動作やＵＨＦ中の全放送チャネルについて放送波の出力有無を調べるといった動作に費す時間が格段に短縮される。
【００１４】
また、請求項２に記載のＯＦＤＭ信号受信装置（例えば、図３のＯＦＤＭ信号受信機２）においては、
受信したＯＦＤＭ信号から一の放送波の周波数帯域の信号を取り出し、所定の周波数を中心周波数とする放送波信号に変換して出力するチューナ手段（例えば、図３のチューナ回路部２２）と、
前記放送波信号をＡ／Ｄ変換して放送波デジタル信号として出力するＡＤ変換手段（例えば、図３のＡＤＣ１３１）と、
前記放送波デジタル信号を復調して復調信号として出力する復調処理手段（例えば、図３の同期処理回路１３２、復調処理回路１３３及び誤り訂正処理回路１３４）と、
前記放送波デジタル信号を複数の帯域に分割して特定帯域信号として出力する帯域分割手段（例えば、図３の低域ＢＰＦ２３６、中域ＢＰＦ２３７及び高域ＢＰＦ２３８）と、
前記特定帯域信号それぞれについて放送波（例えば、編成放送波）の有無を検出することにより前記一の放送波の周波数帯域の全域に亘って放送波の有無を検出し、これを検出結果信号として出力する放送波有無検出手段（例えば、図３の検出回路２３９）と、
を備えることを特徴としている。
【００１５】
また、請求項７に記載のＯＦＤＭ信号受信方法においては、
受信したＯＦＤＭ信号から一の放送波の周波数帯域の信号を取り出し、所定の周波数を中心周波数とする放送波信号に変換して出力するチューナ工程（例えば、図３のチューナ回路部２２による処理）と、
前記放送波信号をＡ／Ｄ変換して放送波デジタル信号として出力するＡＤ変換工程（例えば、図３のＡＤＣ１３１による処理）と、
前記放送波デジタル信号を復調して復調信号として出力する復調処理工程（例えば、図３の同期処理回路１３２、復調処理回路１３３及び誤り訂正処理回路１３４による処理）と、
前記放送波デジタル信号を複数の帯域に分割して特定帯域信号として出力する帯域分割工程（例えば、図３の低域ＢＰＦ２３６、中域ＢＰＦ２３７及び高域ＢＰＦ２３８による処理）と、
前記特定帯域信号それぞれについて放送波の有無を検出することにより前記一の放送波の周波数帯域の全域に亘って放送波の有無を検出し、これを検出結果信号として出力する放送波有無検出工程（例えば、図３の検出回路２３９による処理）と、
を含むことを特徴としている。
【００１６】
従って、この請求項２に記載のＯＦＤＭ信号受信装置及び請求項７に記載のＯＦＤＭ信号受信方法によれば、放送波信号の復調を行う主系統における処理とは独立に、ごく簡易な処理のみによって、放送波の有無を検出して装置外部へ出力し得るから、請求項１に記載のＯＦＤＭ信号受信装置及び請求項６に記載のＯＦＤＭ信号受信方法と同様に、放送チャネルを切替える動作やＵＨＦ中の全放送チャネルについて放送波の出力有無を調べるといった動作に費す時間が短縮される。
【００１７】
また、請求項３に記載のＯＦＤＭ信号受信装置（例えば、図４のＯＦＤＭ信号受信機３）においては、
受信したＯＦＤＭ信号から第１の放送波の周波数帯域の信号を取り出し、所定の周波数を中心周波数とする第１の放送波信号に変換して出力する第１チューナ手段（例えば、図４のチューナ回路部２２）と、
前記第１の放送波信号を復調して復調信号として出力する復調処理手段（例えば、図４の復調処理部１３ａ）と、
受信したＯＦＤＭ信号から第２の放送波の周波数帯域の信号を取り出し、所定の周波数を中心周波数とする第２の放送波信号に変換して出力する第２チューナ手段（例えば、図４のチューナ回路部３５）と、
前記第２の放送波信号に放送波が含まれているか否かを検出し検出結果信号を出力する放送波有無検出手段（例えば、図４の放送波検出部３３ｂ）と、  を備え、前記第２チューナ手段による取り出し対象の周波数帯域を次々変化させることで、受信したＯＦＤＭ信号の周波数帯域全域に亘る放送波の有無の検出が前記放送波有無検出手段により行われることを特徴としている。
【００１８】
また、請求項８に記載のＯＦＤＭ信号受信方法においては、
受信したＯＦＤＭ信号から第１の放送波の周波数帯域の信号を取り出し、所定の周波数を中心周波数とする第１の放送波信号に変換して出力する第１チューナ工程（例えば、図４のチューナ回路部２２による処理）と、
前記第１の放送波信号を復調して復調信号として出力する復調処理工程（例えば、図４の復調処理部１３ａによる処理）と、
受信したＯＦＤＭ信号から第２の放送波の周波数帯域の信号を取り出し、所定の周波数を中心周波数とする第２の放送波信号に変換して出力する第２チューナ工程（例えば、図４のチューナ回路部３５による処理）と、
前記第２の放送波信号に放送波が含まれているか否かを検出し検出結果信号を出力する放送波有無検出工程（例えば、図４の放送波検出部３３ｂによる処理）と、
を含み、前記第２チューナ工程による取り出し対象の周波数帯域を次々変化させることで、受信したＯＦＤＭ信号の周波数帯域全域に亘る放送波の有無の検出が前記放送波有無検出工程により行われることを特徴としている。
【００１９】
従って、この請求項３に記載のＯＦＤＭ信号受信装置及び請求項８に記載のＯＦＤＭ信号受信方法によれば、放送波信号の復調を行う主系統における処理とは独立に放送波の有無を検出して装置外部へ出力し得るから、放送チャネルを切替える動作やＵＨＦ中の全放送チャネルについて放送波の出力有無を調べるといった動作に費す時間が短縮される。
【００２０】
また、請求項４に記載のＯＦＤＭ信号受信装置（例えば、図６のＯＦＤＭ信号受信機４）においては、
受信したＯＦＤＭ信号から複数放送波分の周波数帯域の信号を取り出し、第１の周波数を中心周波数とする中間出力信号に変換して出力するＲＦ処理手段（例えば、図６のＲＦ回路部１２ａ）と、
前記中間出力信号から第１の放送波の周波数帯域の信号を取り出し、第２の周波数を中心周波数とする第１の放送波信号に変換して出力する第１のＩＦ処理手段（例えば、図６のＩＦ回路部１２ｂ）と、
前記第１の放送波信号を復調して復調信号として出力する復調処理手段（例えば、図６の復調処理部１３ａ）と、
前記中間出力信号から第２の放送波の周波数帯域の信号を取り出し、前記第２の周波数を中心周波数とする放送波信号に変換して出力する第２のＩＦ処理手段（例えば、図６のＩＦ回路部４２ｃ）と、
前記第２の放送波信号に放送波が含まれているか否かを検出することにより前記複数放送波分の周波数帯域の全域に亘って放送波の有無を検出し、これを検出結果信号として出力する放送波有無検出手段（例えば、図６の放送波検出部３３ｂ）と、
を備えることを特徴としている。
【００２１】
また、請求項９に記載のＯＦＤＭ信号受信方法においては、
受信したＯＦＤＭ信号から複数放送波分の周波数帯域の信号を取り出し、第１の周波数を中心周波数とする中間出力信号に変換して出力するＲＦ処理工程（例えば、図６のＲＦ回路部１２ａによる処理）と、
前記中間出力信号から第１の放送波の周波数帯域の信号を取り出し、第２の周波数を中心周波数とする第１の放送波信号に変換して出力する第１のＩＦ処理工程（例えば、図６のＩＦ回路部１２ｂによる処理）と、
前記第１の放送波信号を復調して復調信号として出力する復調処理工程（例えば、図６の復調処理部１３ａによる処理）と、
前記中間出力信号から第２の放送波の周波数帯域の信号を取り出し、前記第２の周波数を中心周波数とする放送波信号に変換して出力する第２のＩＦ処理工程（例えば、図６のＩＦ回路部４２ｃによる処理）と、
前記第２の放送波信号に放送波が含まれているか否かを検出することにより前記複数放送波分の周波数帯域の全域に亘って放送波の有無を検出し、これを検出結果信号として出力する放送波有無検出工程（例えば、図６の放送波検出部３３ｂによる処理）と、
を含むことを特徴としている。
【００２２】
従って、この請求項４に記載のＯＦＤＭ信号受信装置及び請求項９に記載のＯＦＤＭ信号受信方法によれば、放送波信号の復調を行う主系統における処理とは独立に放送波の有無を検出して装置外部へ出力し得るから、放送チャネルを切替える動作や受信中チャネル近傍の放送チャネルについて放送波の出力有無を調べるといった動作に費す時間が短縮される。
【００２３】
また、請求項５に記載のＯＦＤＭ信号受信装置は、請求項３又は４に記載のＯＦＤＭ信号受信装置において、
前記放送波有無検出手段は、前記第２の放送波信号をＡ／Ｄ変換した後に直交復調して同期再生することで放送波が含まれているか否かを検出する手段である
ことを特徴としている。
【００２４】
従って、この請求項５に記載のＯＦＤＭ信号受信装置によれば、放送波信号の復調を行う主系統同様の直交復調による同期再生処理の出力によって放送波の有無の検出を行うから、ＯＦＤＭ方式の受信特性上の特長を活かした検出を行い得る。例えば、受信電界強度が弱くＣ／Ｎ比の悪い状況であっても放送波の有無の検出を正確に行い得る。
【発明の効果】
【００２５】
請求項１に記載のＯＦＤＭ信号受信装置及び請求項６に記載のＯＦＤＭ信号受信方法によれば、放送波信号の復調を行う主系統における処理とは独立に、ごく簡易な処理のみによって、複数放送チャネル分に相当する周波数帯域に亘って放送波の有無を検出して装置外部へ出力し得るから、受信中チャネル近傍や隣（前や後）で放送中の放送チャネルに切替える動作やＵＨＦ中の全放送チャネルについて放送波の出力有無を調べるといった動作に費す時間が格段に短縮される。
【００２６】
請求項２に記載のＯＦＤＭ信号受信装置及び請求項７に記載のＯＦＤＭ信号受信方法によれば、放送波信号の復調を行う主系統における処理とは独立に、ごく簡易な処理のみによって、放送波の有無を検出して装置外部へ出力し得るから、請求項１に記載のＯＦＤＭ信号受信装置及び請求項６に記載のＯＦＤＭ信号受信方法と同様に、放送チャネルを切替える動作やＵＨＦ中の全放送チャネルについて放送波の出力有無を調べるといった動作に費す時間が短縮される。
【００２７】
請求項３に記載のＯＦＤＭ信号受信装置及び請求項８に記載のＯＦＤＭ信号受信方法によれば、放送波信号の復調を行う主系統における処理とは独立に放送波の有無を検出して装置外部へ出力し得るから、放送チャネルを切替える動作やＵＨＦ中の全放送チャネルについて放送波の出力有無を調べるといった動作に費す時間が短縮される。
【００２８】
請求項４に記載のＯＦＤＭ信号受信装置及び請求項９に記載のＯＦＤＭ信号受信方法によれば、放送波信号の復調を行う主系統における処理とは独立に放送波の有無を検出して装置外部へ出力し得るから、放送チャネルを切替える動作や受信中チャネル近傍の放送チャネルについて放送波の出力有無を調べるといった動作に費す時間が短縮される。
【００２９】
請求項５に記載のＯＦＤＭ信号受信装置によれば、請求項３又は４に記載のＯＦＤＭ信号受信装置と同様の効果を奏するとともに、放送波信号の復調を行う主系統同様の直交復調による同期再生処理の出力によって放送波の有無の検出を行うから、ＯＦＤＭ方式の受信特性上の特長を活かした検出を行い得る。例えば、受信電界強度が弱くＣ／Ｎ比の悪い状況であっても放送波の有無の検出を正確に行い得る。
【００３０】
従って本発明によれば、放送チャネル切替やオートチャネルサーチを迅速に行い、使用者の操作ストレスをより低減させ得るＯＦＤＭ信号受信装置及びＯＦＤＭ信号受信方法を実現し得る。
【発明を実施するための最良の形態】
【００３１】
以下、図面を参照して本発明を実施するための形態について詳細に説明する。以下においては、本発明を地上波デジタルテレビ放送の受信装置としてのＯＦＤＭ信号受信装置に適用した場合について説明するが、本発明を適用可能な形態がこれに限定されるものではない。
【００３２】
〔第１の実施の形態〕
図１は本実施の形態におけるＯＦＤＭ信号受信機１の機能構成を示すブロック図である。
【００３３】
同図に示すようにＯＦＤＭ信号受信機１は、電波を受信するアンテナ１１、受信した電波を増幅し所望の放送波周波数への同調を行うチューナ回路部１２、主にデジタル復調及び誤り訂正等の処理を行いＴＳ（Transport Stream：トランスポート・ストリーム）を出力する復調回路部１３及びＴＳに復号処理を施すデコーダ１４を備えて構成される。
チューナ回路部１２は更に、受信した電波を増幅等して後段へ出力する高周波増幅（ＲＦ）回路部１２ａと、中間周波信号を増幅等して後段へ出力する中間周波増幅（ＩＦ）回路部１２ｂとを備えて構成される。
【００３４】
アンテナ１１から受信された電波は、まずＲＦ回路部１２ａの低雑音増幅器（ＬＮＡ：Low Noise Amplifier ）１２１及び増幅器１２２によって所定の増幅率で増幅され、信号Ｓ１としてＢＰＦ（Band Pass Filter）１２３へ出力される。
因みに、この増幅器１２２においては、別途設けられる自動利得制御回路（ＡＧＣ：図示せず。）からの制御信号によって、その利得がＢＰＦ１２３からの出力信号レベル等に応じて再帰的に制御されて適切な値となるようになされている。
【００３５】
ＢＰＦ１２３は、入力された信号Ｓ１のうち所定の幅（以下、第１周波数幅と呼ぶ。）の周波数帯域のみを通過させ（切り出し）、これをＲＦミキサ回路１２４へ出力する。
ところで通常、この第１周波数幅として、選択されたチャネル周波数が通過するように８ＭＨｚを採る場合が多いが、本実施の形態の場合これを５７ＭＨｚとし、他のチャネル周波数も通過させるようになされている。即ち１放送チャネル分の周波数幅は６ＭＨｚであるから、本実施の形態のＢＰＦ１２３は、約９放送チャネル分の幅の周波数帯域を切り出す。
また、このとき切り出される周波数帯域（位置）は、選局操作に応じて制御部（図示せず。）が適宜選択し得るようになされている。
【００３６】
そして信号Ｓ１は、ＲＦミキサ回路１２４を経て所定の中心周波数（以下、第１中心周波数と呼ぶ。）を有する中間出力信号Ｓ２に変換され、後段の処理回路、即ち、ＩＦ処理、復調処理及びデコードを行う処理系統（以下、主系統と呼ぶ。）と、本実施の形態に特徴的な処理である放送波有無検出等を行う処理系統（以下、副系統と呼ぶ。）とへ出力される。
【００３７】
主系統へ出力された中間出力信号Ｓ２は、まず、ＩＦ回路部１２ｂのＢＰＦ１２５において（約９放送チャネル分に相当する信号のうちの）１放送チャネル分が切り出され、増幅器１２６で増幅され、信号Ｓ３としてＩＦミキサ回路１２７へ出力される。
【００３８】
ここに、ＢＰＦ１２５が切り出す１放送チャネル分の周波数帯域（位置）は、制御部（図示せず。）が適宜選択し得るようになされている。即ち、本実施の形態のチューナ回路部１２は、制御部（図示せず。）がＢＰＦ１２３及びＢＰＦ１２５を適宜制御することで所望の１放送チャネルを選択し得るようになされている。
また、増幅器１２６の利得は、別途設けられるＡＧＣ（図示せず。）からの制御信号によって適切な値に制御されるようになされている。
【００３９】
そして信号Ｓ３は、ＩＦミキサ回路１２７及びＬＰＦ（Low Pass Filter ）１２８を経ることにより所定の中心周波数（以下、第２中心周波数と呼ぶ。）を有する放送波信号Ｓ４に変換され、復調回路部１３の復調処理部１３ａへ出力される。
【００４０】
復調処理部１３ａは、アナログ／デジタル変換器（ＡＤＣ）１３１、同期処理回路１３２、復調処理回路１３３及び誤り訂正処理回路１３４を備えて構成される。
【００４１】
ここに同期処理回路１３２は、デジタル信号をまず直交復調することによりベースバンドであるＯＦＤＭ信号に再生し、次にＦＦＴ（Fast Fourier Transform：高速フーリエ変換）処理し、更に波形等価（振幅等価及び位相等価）処理することにより、復調すべき信号成分を特定する等の同期再生処理を行う回路である。
【００４２】
また、誤り訂正処理回路１３４は、誤り訂正処理としてビタビ復号やリードソロモン符号等のエラー訂正を行う回路であるが、一般的に時間のかかる処理である時間デインタリーブをも当該回路中で行うようになされている。
【００４３】
復調処理部１３ａへ出力された放送波信号Ｓ４は、まずＡＤＣ１３１によりデジタル化されデジタル信号Ｓ５として同期処理回路１３２へ出力され、同期処理回路１３２及び復調処理回路１３３を経て直交復調による同期再生及び復調が行われ、更に誤り訂正処理回路１３４において誤り訂正処理が施される。かくして放送波信号Ｓ４からＴＳが抽出されデコーダ１４へ出力される。
【００４４】
そしてデコーダ１４は、このＴＳに復号処理を施してＯＦＤＭ信号受信機１の外部へ出力する。
かくしてＯＦＤＭ信号受信機１を内蔵する装置（図示せず。）は、この出力信号を用いてテレビ放送としての画像表示及び音声出力等を行う。
【００４５】
一方、副系統へ出力された中間出力信号Ｓ２は、ＡＤＣ１３５と、低域ＢＰＦ１３６、中域ＢＰＦ１３７及び高域ＢＰＦ１３８の３つのデジタルＢＰＦと、検出回路１３９とを備えて構成される放送波検出部１３ｂにおいて、放送波の有無の検出に用いられる。
【００４６】
放送波検出部１３ｂへ出力された中間出力信号Ｓ２は、まずＡＤＣ１３５によりデジタル化され、中間出力デジタル信号Ｓ６として低域ＢＰＦ１３６、中域ＢＰＦ１３７及び高域ＢＰＦ１３８へ出力される。
【００４７】
低域ＢＰＦ１３６は、中間出力デジタル信号Ｓ６のうち、低周波帯域の所定の周波数幅のみを通過させ、低域検出信号Ｓ７として検出回路１３９へ出力するようになされている。
この所定の周波数幅としては、例えば３放送チャネル分に相当する周波数幅が採られ、従って低域ＢＰＦ１３６は、９放送チャネル分に相当する信号成分でなる中間出力デジタル信号Ｓ６から低周波帯域側の３放送チャネル分についてを検出回路１３９へ出力するようになされている。
【００４８】
同様に、中域ＢＰＦ１３７及び高域ＢＰＦ１３８は、（９放送チャネル分に相当する信号成分でなる）中間出力デジタル信号Ｓ６のうち、それぞれ中間周波帯域及び高周波帯域の所定の（例えば３放送チャネル分に相当する）周波数幅のみを通過させ、中域検出信号Ｓ８及び高域検出信号Ｓ９として検出回路１３９へ出力するようになされている。
【００４９】
このように、これら３つのデジタルＢＰＦを用いて、中間出力デジタル信号Ｓ６を周波数帯域毎に３つに、即ち９放送チャネル分に相当する信号成分を３つに分類して、それぞれ検出回路１３９へ出力するようになされている。
【００５０】
検出回路１３９は、入力された低域検出信号Ｓ７、中域検出信号Ｓ８及び高域検出信号Ｓ９の出力信号レベルを元に、それぞれの帯域についての放送波の有無を検出するようになされている。具体的には、出力信号レベルと所定の基準値とを比較することにより、放送チャネルそれぞれの放送波が含まれているかを判断するようになされている。そして、放送波の有無に関する情報（データ）は、ＯＦＤＭ信号受信機１を制御する制御部（図示せず）を介して記憶部（図示せず）に記憶される。又は、検出回路内部に設けられた記憶メモリ（図示せず）に記憶されるようにしても良い。記憶された放送波の有無に関する情報（データ）は、必要に応じてユーザに報知される。
【００５１】
このように、本実施の形態のＯＦＤＭ信号受信機１は、ＩＦ処理、復調処理及びデコードを行う主系統とは別に設けられた副系統において、中間出力信号Ｓ２をデジタル化し、周波数帯域毎に複数に分類し、それぞれの帯域についての放送波の有無を、出力信号レベルを元に検出するようになされている。
これによりＯＦＤＭ信号受信機１は、主系統における処理とは独立に、また、同期処理等に比べごく簡易な処理のみによって、約９放送チャネル分に相当する周波数帯域に亘って放送波の有無を検出して装置外部へ出力し得るようになされている。
【００５２】
かかる構成のＯＦＤＭ信号受信機１において、例えば、前記主系統における処理とは独立に検出された放送波の有無に関する情報を前記記憶部から読みだし、表示や音声出力によってユーザに報知することにより、画像表示及び音声出力中の放送チャネル（以下、受信中チャネルと呼ぶ。）が、例えばユーザ操作によって受信中チャネル近傍の放送波の有る（放送中の）所望の放送チャネル（以下、切替先チャネルと呼ぶ。）に切替えられると、即座に切替先チャネルの画像表示及び音声出力が行われる。
【００５３】
即ちＯＦＤＭ信号受信機１は、主系統における処理とは独立に約９放送チャネル分に亘って放送波の有無を検出しており、同期処理等時間のかかる動作によるまでもなく切替先チャネルの放送波の有無を予め検出しているから、ユーザ操作に応じて即座に同調を開始し、切替先チャネルの画像表示及び音声出力を行い得る。
また、放送されている局は地域によって異なる。従って、各地域毎に放送されている局の使用周波数情報を予めＯＦＤＭ信号受信機１、又はＯＦＤＭ信号受信機１を制御する制御部が記憶し、検出された放送波の有無に関する情報から現在ユーザがいる地域を検出する。そして、この検出された地域から放送されている局を把握することができる。
【００５４】
ここに、上記のような受信中チャネル以外の放送チャネルに切替えるユーザ操作としては、例えば受信中チャネルの隣（前や後）で放送中の放送チャネルに切替えるものが挙げられる。地上波デジタル放送受像機やＴＶ受像機の操作パネル（リモコン等）には、この操作のための専用ボタン（「↑」や「↓」）が設けられている場合が多いことからも、一般的に使用頻度の高い操作であるといえる。
【００５５】
本実施の形態のＯＦＤＭ信号受信機１は、例えば受信中チャネルの１つ後（周波数帯域の高い側）の放送チャネル（以下、次チャネルと呼ぶ。）に切替える操作が行われた場合においても、周波数帯域の高い側にある放送波の有る放送チャネルのうち（即ち放送波の無いものを除いた）受信中チャネルの次の放送チャネル（周波数帯域の最も低い側にあるもの）へ、確実かつ迅速に切替動作を行い得る。
【００５６】
更には、受信中チャネルが切替わった際、受信中チャネルが常に上記の約９放送チャネル中の所定の位置（例えば中央）を保つようにしておくことが可能であるから、次チャネルへ切替える操作を何度も（例えば９放送チャネルを超える程の回数）行うような場合にも、迅速な切替動作を提供し得る。
【００５７】
具体的に図２を示して詳述する。
例えば、ＢＰＦ１２３が約９放送チャネル分の周波数帯域Ｂ１２３ａを、ＢＰＦ１２５がその中央の１放送チャネル分の周波数帯域Ｂ１２５ａを、それぞれ切り出すよう制御されているとする。
【００５８】
受信中チャネルを切替先チャネル（次チャネル等）へ切替える操作がなされると、ＢＰＦ１２５は周波数帯域Ｂ１２３ａ中の新たな１放送チャネル分の周波数帯域（周波数帯域Ｂ１２５ｂとする。）を切り出すよう制御される。
【００５９】
これに続けて、この周波数帯域Ｂ１２５ｂが帯域中の中央となるような周波数帯域Ｂ１２３ｂを切り出すよう、制御部がＢＰＦ１２３を制御するようにする。即ちＢＰＦ１２３が切り出す約９放送チャネル分の周波数帯域を周波数帯域Ｂ１２３ａから周波数帯域Ｂ１２３ｂへシフトさせて、周波数帯域Ｂ１２５ｂが帯域中の中央となるようにする。
【００６０】
このように、ＢＰＦ１２３が切り出す約９放送チャネル分の周波数帯域及びＢＰＦ１２５が切り出す１放送チャネル分の周波数帯域を適宜制御することにより、受信中チャネルが常に約９放送チャネル中の所定の位置を保つようにしておくことが可能である。
【００６１】
また、かかる構成のＯＦＤＭ信号受信機１において、ＵＨＦ中の全放送チャネルについて放送波の出力有無を調べるオートチャネルサーチ動作を行う場合、ＯＦＤＭ信号受信機１は迅速にこれを行う。
【００６２】
即ち、ＯＦＤＭ信号受信機１は、まずＢＰＦ１２３において約９放送チャネル分の周波数帯を切り出し、約９放送チャネル分の信号を含む中間出力信号Ｓ２を放送波検出部１３ｂへ出力する。
【００６３】
次に、ＯＦＤＭ信号受信機１は放送波検出部１３ｂおいて、中間出力信号Ｓ２をデジタル化し、周波数帯域毎に複数に分類し、それぞれの帯域についての放送波の有無を検出する。ここに、放送波検出部１３ｂにおける処理は、主系統にあるような同期処理に比べ格段に簡易であるから、９放送チャネル分についての放送波有無の検出（以下、９チャネル検出と呼ぶ。）に要する時間はごく僅かである。
【００６４】
そしてＯＦＤＭ信号受信機１は、ＢＰＦ１２３において切り出す９放送チャネル分の周波数帯を適宜遷移させながら、それぞれについて９チャネル検出を行っていくことにより、ＵＨＦ中の全放送チャネルについて放送波出力の有無を検出する。この場合、９チャネル検出を６回程度行えばよいから、ＵＨＦ中の全放送チャネルについて放送波出力の有無を検出するのに要する時間はごく僅かである。
【００６５】
かくして、本実施の形態のＯＦＤＭ信号受信機１は、受信中チャネルの近傍や隣（前や後）で放送中の放送チャネルに切替える動作やＵＨＦ中の全放送チャネルについて放送波の出力有無を調べる動作に費す時間が格段に短縮され、使用者の操作ストレスは格段に低減される。
【００６６】
〔第２の実施の形態〕
図１との対応部分に同一符号を付して示す図３は、本実施の形態におけるＯＦＤＭ信号受信機２の機能構成を示すブロック図である。
【００６７】
同図に示すようにＯＦＤＭ信号受信機２は、アンテナ１１、チューナ回路部２２、復調回路部２３及びデコーダ１４を備えて構成される。
【００６８】
アンテナ１１から受信された電波は、まずチューナ回路部２２によって抽出・増幅等が行われ、所望の１放送チャネルの放送波周波数へ同調され、第２中心周波数を有する放送波信号Ｓ４として復調回路部２３へ出力される。
【００６９】
ここにチューナ回路部２２は、受信した電波を増幅等して中間周波信号等を後段へ出力するＲＦ回路部（図示せず。）及び中間周波信号を増幅等して後段へ出力するＩＦ回路部（図示せず。）等を備えて構成される。
因みに、当該ＲＦ回路部及びＩＦ回路部としては、第１の実施の形態と同様にＲＦ回路部１２ａ及びＩＦ回路部１２ｂ（図１）を用いて構成し、制御部（図示せず。）がＢＰＦ１２３及びＢＰＦ１２５（図１）を適宜制御することで所望の１放送チャネルを選択し得るようにしても良い。
【００７０】
復調回路部２３へ出力された放送波信号Ｓ４は、第１の実施の形態と同様に、復調処理部１３ａにおいて、まずＡＤＣ１３１によりデジタル化されデジタル信号Ｓ５として出力され、直交復調による同期再生及び復調が行われ、誤り訂正処理が施され、抽出されたＴＳがデコーダ１４へ出力される。
そしてデコーダ１４は、このＴＳに復号処理を施してＯＦＤＭ信号受信機２の外部へ出力する。
【００７１】
本実施の形態におけるＯＦＤＭ信号受信機２の復調回路部２３は、上記の復調処理部１３ａ及びデコーダ１４を備えて構成される処理系統（以下、主系統と呼ぶ。）に加え、放送波検出部２３ｂを備えて構成され放送波有無検出等を行う処理系統（以下、副系統と呼ぶ。）を有し、ＡＤＣ１３１から出力されるデジタル信号Ｓ５を副系統の放送波検出部２３ｂへ出力するようになされている。
【００７２】
この放送波検出部２３ｂは、低域ＢＰＦ２３６、中域ＢＰＦ２３７及び高域ＢＰＦ２３８の３つのデジタルＢＰＦと、検出回路２３９とを備えて構成される。
【００７３】
低域ＢＰＦ２３６、中域ＢＰＦ２３７及び高域ＢＰＦ２３８は、デジタル信号Ｓ５のうち、それぞれ低周波帯域、中間周波帯域及び高周波帯域の所定の周波数幅のみ（例えば、所定数の編成放送波に相当する周波数幅）を通過させ、それぞれ低域検出信号Ｓ１０、中域検出信号Ｓ１１及び高域検出信号Ｓ１２として検出回路２３９へ出力するようになされている。
【００７４】
検出回路２３９は、入力された低域検出信号Ｓ１０、中域検出信号Ｓ１１及び高域検出信号Ｓ１２の出力信号レベルを元に、それぞれの帯域についての放送波の有無を検出するようになされている。例えば、出力信号レベルと所定の基準値とを比較することにより、放送チャネルそれぞれの放送波が含まれているか否かを判断することができる。そして、放送波の有無に関する情報（データ）は、ＯＦＤＭ信号受信機１を制御する制御部（図示せず）を介して記憶部（図示せず）に記憶される。又は、検出回路内部に設けられた記憶メモリ（図示せず）に記憶されるようにしても良い。記憶された放送波の有無に関する情報（データ）は、必要に応じてユーザに報知される。
【００７５】
このように、本実施の形態のＯＦＤＭ信号受信機２は、ＩＦ処理、復調処理及びデコードを行う主系統とは別に設けられた副系統において、デジタル信号Ｓ５を周波数帯域毎に複数に分類し、それぞれの帯域についての放送波の有無を、出力信号レベルを元に検出するようになされている。
これによりＯＦＤＭ信号受信機２は、主系統における処理とは独立に、また、同期処理等に比べごく簡易な処理のみによって、放送波の有無を検出して装置外部へ出力し得るようになされている。
【００７６】
かかる構成のＯＦＤＭ信号受信機２においても、第１の実施の形態におけるＯＦＤＭ信号受信機１と同様に、受信中チャネルを他の放送チャネルに切替える場合、ごく簡易な処理のみによって切替先チャネルの放送波の有無を検出し得るから、従来に比し迅速に切替先チャネルの画像表示及び音声出力を行い得る。
【００７７】
また、かかる構成のＯＦＤＭ信号受信機２において、オートチャネルサーチ動作を行う場合も、第１の実施の形態におけるＯＦＤＭ信号受信機１と同様に、従来に比し迅速に当該オートチャネルサーチ動作を行い得る。
即ちＯＦＤＭ信号受信機１は、チューナ回路部２２において切り出す１放送チャネル分の周波数帯を適宜遷移させながら放送波有無の検出を行い、当該放送波有無の検出の動作はごく簡易な処理のみによって行われるから、オートチャネルサーチ動作に要する時間は僅かである。
【００７８】
かくして、本実施の形態のＯＦＤＭ信号受信機２も、第１の実施の形態におけるＯＦＤＭ信号受信機１と同様に、放送チャネルを切替える動作やＵＨＦ中の全放送チャネルについて放送波の出力有無を調べる動作に費す時間が短縮され、使用者の操作ストレスは低減される。
【００７９】
また、このようにすれば、従来同様のアンテナ１１、チューナ回路部２２及びデコーダ部１４と、従来からの設計変更規模の小さい復調回路部２３とで構成し得る。
【００８０】
〔第３の実施の形態〕
図１及び図３との対応部分に同一符号を付して示す図４は、本実施の形態におけるＯＦＤＭ信号受信機３の機能構成を示すブロック図である。
【００８１】
同図に示すようにＯＦＤＭ信号受信機３は、アンテナ１１、チューナ回路部２２、復調回路部３３、デコーダ１４及びチューナ回路部３５を備えて構成される。
【００８２】
アンテナ１１から受信された電波は、所望の放送波への同調処理、復調処理及びデコードを行う処理系統（以下、主系統と呼ぶ。）と、本実施の形態に特徴的な処理である放送波有無検出等を行う処理系統（以下、副系統と呼ぶ。）とへ出力される。
【００８３】
アンテナ１１から受信され主系統へ入力された電波は、第２の実施の形態と同様に、まずチューナ回路部２２によって増幅され、所望の１放送チャネルの放送波周波数へ同調され、第２中心周波数を有する放送波信号Ｓ４として復調回路部３３へ出力される。
【００８４】
復調回路部３３へ出力された放送波信号Ｓ４は、第１の実施の形態と同様に、復調処理部１３ａにおいて、まずＡＤＣ１３１によりデジタル化され、同期処理回路１３２及び復調処理回路１３３を経て直交復調による同期再生及び復調が行われ、誤り訂正処理が施され、抽出されたＴＳがデコーダ１４へ出力される。
そしてデコーダ１４は、このＴＳに復号処理を施してＯＦＤＭ信号受信機２の外部へ出力する。
【００８５】
一方、アンテナ１１から受信され副系統へ出力された電波は、まず、チューナ回路部２２と同様に構成されるチューナ回路部３５において、１放送チャネルの放送波周波数へ同調され、所定の中心周波数を有する放送波信号Ｓ１３として復調回路部３３の放送波検出部３３ｂへ出力される。
【００８６】
ここに、チューナ回路部３５においては、（チューナ回路部２２と同様に）その内部に設けられるＢＰＦ（図示せず。）を制御部（図示せず。）が適宜制御することにより１放送チャネル分の周波数帯域が切り出されるが、本実施の形態の場合、切り出される１放送チャネル分の周波数帯域をＵＨＦ全域中で次々変化させて放送波信号Ｓ１３を出力するようになされている。
【００８７】
即ち、本実施の形態のチューナ回路部３５のＢＰＦは、例えば図５に示すような、ＵＨＦ中を順次遷移させながら当該１放送チャネル分の周波数帯域を切り出す動作を絶えず（或いは所定時間間隔で定期的に）繰り返すよう制御されている。
【００８８】
放送波信号Ｓ１３が放送波検出部３３ｂへ出力されると、まずＡＤＣ１３１と同様のＡＤＣ３３５によってデジタル化され、次に同期処理回路１３２と同様の同期処理回路３３６において直交復調による同期再生が行われ、検出信号Ｓ１４として検出回路３３９へ出力される。
【００８９】
検出回路３３９は、検出信号Ｓ１４の出力信号レベルを元に放送波の有無を検出するようになされている。例えば、出力信号レベルと所定の基準値とを比較することにより、放送チャネルそれぞれの放送波が含まれているか否かを判断することができる。そして、放送波の有無に関する情報（データ）は、ＯＦＤＭ信号受信機１を制御する制御部（図示せず）を介して記憶部（図示せず）に記憶される。又は、検出回路内部に設けられた記憶メモリ（図示せず）に記憶されるようにしても良い。記憶された放送波の有無に関する情報（データ）は、必要に応じてユーザに報知される。
【００９０】
このように、本実施の形態のＯＦＤＭ信号受信機３は、主系統とは別に設けられた副系統において、主系統同様の同調処理及び直交復調による同期再生を行い放送波の有無を検出するようになされ、これにより、主系統における処理とは独立に、直交復調による同期再生処理の出力によって放送波の有無を検出して装置外部へ出力し得るようになされている。
【００９１】
かかる構成のＯＦＤＭ信号受信機３において、受信中チャネルが、例えばユーザ操作によって所望の任意の放送チャネル（以下、切替先チャネルと呼ぶ。）に切替えられると、即座に切替先チャネルの画像表示及び音声出力が行われる。
【００９２】
即ちＯＦＤＭ信号受信機３は、主系統における処理とは独立に全放送チャネル分に亘って放送波の有無を検出しており、改めて同期処理等を行うまでもなく切替先チャネルの放送波の有無を予め検出しているから、ユーザ操作に応じて即座に同調を開始し、切替先チャネルの画像表示及び音声出力を即座に行い得る。
またこの場合、副系統における放送波有無の検出に係る処理は、直交復調による同期再生までに過ぎないから、従来に比し迅速に動作し得る。
【００９３】
また、かかる構成のＯＦＤＭ信号受信機３においてオートチャネルサーチ動作を行う場合、ＯＦＤＭ信号受信機３は、主系統における処理とは独立に全放送チャネル分に亘って放送波の有無を検出しているから、改めて処理を行うまでもなく放送波の有無の表示等を即座に行い得る。
【００９４】
因みに、ＯＦＤＭ信号受信機３の副系統における放送波の有無の検出が全く行われていない（例えば電源投入直後の）状況でオートチャネルサーチ動作を行う場合も、副系統における放送波有無の検出に係る処理は、直交復調による同期再生までに過ぎないから、従来に比し迅速に動作し得る。
またこの場合、視聴に係る主系統の処理とは独立に、副系統において放送波有無の検出を行うから、ユーザの視聴を妨げることなくバックグラウンドで、全放送チャネル分に亘るオートチャネルサーチ動作を行い得る。
【００９５】
かくして、本実施の形態のＯＦＤＭ信号受信機３は、放送チャネルを切替える動作やＵＨＦ中の全放送チャネルについて放送波の出力有無を調べる動作に費す時間が短縮され、使用者の操作ストレスは低減される。
【００９６】
また、このようにすれば、主系統同様の直交復調による同期再生処理の出力によって放送波の有無の検出を行うから、ＯＦＤＭ方式の受信特性上の特長を活かした検出を行い得る。即ち、例えば受信電界強度が弱くＣ／Ｎ比の悪い状況であっても、雑音等に影響されない正確な検出信号Ｓ１４が検出回路３３９へ出力され、放送波の有無の検出を正確に行い得る。
【００９７】
〔第４の実施の形態〕
図１及び図４との対応部分に同一符号を付して示す図６は、本実施の形態におけるＯＦＤＭ信号受信機４の機能構成を示すブロック図である。
【００９８】
同図に示すようにＯＦＤＭ信号受信機４は、アンテナ１１、チューナ回路部４２、復調回路部３３及びデコーダ１４を備えて構成される。
チューナ回路部４２は更に、第１の実施の形態と同様のＲＦ回路部１２ａ及びＩＦ回路部１２ｂに加え、ＩＦ回路部１２ｂと同様に中間周波信号を主に増幅して後段へ出力するＩＦ回路部４２ｃを備えて構成される。
【００９９】
ＲＦ回路部１２ａ及びＩＦ回路部１２ｂは、第１の実施の形態と同様に、制御部（図示せず。）がＢＰＦ１２３及びＢＰＦ１２５（図１）を適宜制御することにより所望の１放送チャネルを選択し得るようになされている。
【０１００】
アンテナ１１から受信された電波は、まずＲＦ回路部１２ａを経て第１中心周波数を有する中間出力信号Ｓ２に変換され、後段の処理回路、即ち、ＩＦ処理、復調処理及びデコードを行う処理系統（以下、主系統と呼ぶ。）と、本実施の形態に特徴的な処理である放送波有無検出等を行う処理系統（以下、副系統と呼ぶ。）とへ出力される。
【０１０１】
主系統へ出力された中間出力信号Ｓ２は、ＩＦ回路部１２ｂを経て第２中心周波数を有する放送波信号Ｓ４に変換され復調回路部３３の復調処理部１３ａへ出力される。
【０１０２】
復調処理部１３ａへ出力された放送波信号Ｓ４は、第１の実施の形態と同様に、まずＡＤＣ１３１によりデジタル化され、同期処理回路１３２及び復調処理回路１３３を経て直交復調による同期再生及び復調が行われ、誤り訂正処理が施され、抽出されたＴＳがデコーダ１４へ出力される。
そしてデコーダ１４は、このＴＳに復号処理を施してＯＦＤＭ信号受信機４の外部へ出力する。
【０１０３】
一方、副系統へ出力された中間出力信号Ｓ２は、まず、ＩＦ回路部４２ｃを経ることにより、所定の中心周波数を有する放送波信号Ｓ１５として復調回路部３３の放送波検出部３３ｂへ出力される。
【０１０４】
ここに、ＩＦ回路部４２ｃにおいては、（ＩＦ回路部１２ｂと同様に）その内部に設けられるＢＰＦ（図示せず。）を制御部（図示せず。）が適宜制御することにより、１放送チャネル分の周波数帯域が切り出されるが、本実施の形態の場合、切り出される１放送チャネル分の周波数帯域を次々変化させて放送波信号Ｓ１５を出力するようになされている。
【０１０５】
即ち、本実施の形態のＩＦ回路部４２ｃのＢＰＦは、例えば図７に示すような、（ＲＦ回路部１２ａのＢＰＦ１２３で切り出される）約９放送チャネル分の周波数帯域中を順次遷移させながら当該１放送チャネル分の周波数帯域を切り出す動作を絶えず（或いは所定時間間隔で定期的に）繰り返すよう制御されている。
【０１０６】
放送波検出部３３ｂは第３の実施の形態と同様に構成され、放送波信号Ｓ１５をデジタル化し、直交復調による同期再生を行い、これを検出信号Ｓ１４として検出回路３３９へ出力し、検出回路３３９は検出信号Ｓ１４の出力信号レベルを元に放送波の有無を検出する。例えば、出力信号レベルと所定の基準値とを比較することにより、放送チャネルそれぞれの放送波が含まれているか否かを判断することができる。そして、放送波の有無に関する情報（データ）は、ＯＦＤＭ信号受信機１を制御する制御部（図示せず）を介して記憶部（図示せず）に記憶される。又は、検出回路内部に設けられた記憶メモリ（図示せず）に記憶されるようにしても良い。記憶された放送波の有無に関する情報（データ）は、必要に応じてユーザに報知される。
【０１０７】
このように、本実施の形態のＯＦＤＭ信号受信機４も、第３の実施の形態のＯＦＤＭ信号受信機３と同様に、主系統とは別に設けられた副系統において、主系統同様の同調処理及び直交復調による同期再生を行い放送波の有無を検出するようになされ、これにより、主系統における処理とは独立に、直交復調による同期再生処理の出力によって放送波の有無を検出して装置外部へ出力し得るようになされている。
【０１０８】
かかる構成のＯＦＤＭ信号受信機４では、ＯＦＤＭ信号受信機４は主系統における処理とは独立に約９放送チャネル分に亘って放送波の有無を検出している。従って、受信中チャネルが、例えばユーザ操作によって所望の受信中チャネル近傍の放送チャネル（以下、切替先チャネルと呼ぶ。）に切替えられると、改めて同期処理等を行うまでもなく切替先チャネルの放送波の有無を予め検出しているから、ユーザ操作に応じて即座に同調を開始し、切替先チャネルの画像表示及び音声出力を即座に行い得る。
また、副系統における放送波有無の検出に係る処理は、直交復調による同期再生までに過ぎないから、従来に比し迅速に動作し得る。
【０１０９】
また、かかる構成のＯＦＤＭ信号受信機４においてオートチャネルサーチ動作を行う場合、ＯＦＤＭ信号受信機４は、主系統における処理とは独立に約９放送チャネル分に亘って放送波の有無を検出しているから、改めて処理を行うまでもなく放送波の有無の表示等を即座に行い得る。
【０１１０】
かくして、本実施の形態のＯＦＤＭ信号受信機４は、放送チャネルを切替える動作や受信中チャネル近傍の放送チャネルについて放送波の出力有無を調べる動作に費す時間が短縮され、使用者の操作ストレスは低減される。
【０１１１】
また、第３の実施の形態と同様に、放送波の有無の検出を主系統同様の処理で行うから、ＯＦＤＭ方式の受信特性上の特長を活かした検出を行い得、従って放送波の有無の検出をごく正確に行い得る。
【０１１２】
〔他の実施の形態〕
なお、上述した第３の実施の形態においては、チューナ回路部３５によって切り出される１放送チャネル分の周波数帯域を、制御部が絶えず（或いは所定時間間隔で定期的に）所定の制御を繰り返して与えるようにした場合について述べたが、本発明はこれに限らず、選局に供する外部信号を入力するようにし、当該外部信号に従って制御部がＢＰＦを制御して１放送チャネル分の周波数帯域を切り出すようにしても良い。
【０１１３】
この場合、例えば、受信中チャネルとは別に、次に視聴する予定の放送チャネルを予め設定しておくことが可能なＯＦＤＭ信号受信機を提供し得る。
【０１１４】
また、上述した第４の実施の形態においては、ＩＦ回路部４２ｃによって切り出される１放送チャネル分の周波数帯域を、制御部が絶えず（或いは所定時間間隔で定期的に）所定の制御を繰り返して与えるようにした場合について述べたが、本発明はこれに限らず、選局に供する外部信号を入力するようにし、当該外部信号に従って制御部がＢＰＦを制御して１放送チャネル分の周波数帯域を切り出すようにしても良い。
【０１１５】
この場合も、例えば、受信中チャネルとは別に、次に視聴する予定の放送チャネルを予め設定しておくことが可能なＯＦＤＭ信号受信機を提供し得る。
【図面の簡単な説明】
【０１１６】
【図１】第１の実施の形態におけるＯＦＤＭ信号受信機の回路構成を示すブロック図である。
【図２】受信中チャネル切替に伴う動作の説明に供する図である。
【図３】第２の実施の形態におけるＯＦＤＭ信号受信機の回路構成を示すブロック図である。
【図４】第３の実施の形態におけるＯＦＤＭ信号受信機の回路構成を示すブロック図である。
【図５】チューナ回路部３５の動作の説明に供する図である。
【図６】第４の実施の形態におけるＯＦＤＭ信号受信機の回路構成を示すブロック図である。
【図７】ＩＦ回路部４２ｃの動作の説明に供する図である。
【図８】従来のＯＦＤＭ信号受信機の回路構成を示すブロック図である。
【符号の説明】
【０１１７】
１  ＯＦＤＭ信号受信機
１２ａ  ＲＦ回路部
１２ｂ  ＩＦ回路部
１３ａ  復調処理部
１３１  ＡＤＣ
１３２  同期処理回路
１３３  復調処理回路
１３４  誤り訂正処理回路
１３５  ＡＤＣ
１３６  低域ＢＰＦ
１３７  中域ＢＰＦ
１３８  高域ＢＰＦ
１３９  検出回路
２  ＯＦＤＭ信号受信機
２２  チューナ回路部
２３６  低域ＢＰＦ
２３７  中域ＢＰＦ
２３８  高域ＢＰＦ
２３９  検出回路
３  ＯＦＤＭ信号受信機
３３ｂ  放送波検出部
３５  チューナ回路部
４  ＯＦＤＭ信号受信機
４２ｃ  ＩＦ回路部
Ｓ２  中間出力信号
Ｓ４  放送波信号
Ｓ１０  低域検出信号
Ｓ１１  中域検出信号
Ｓ１２  高域検出信号
Ｓ１３  放送波信号
Ｓ１４  検出信号
Ｓ１５  放送波信号
【図１】
2005244481.tif 000003
【図２】
2005244481.tif 000004
【図３】
2005244481.tif 000005
【図４】
2005244481.tif 000006
【図５】
2005244481.tif 000007
【図６】
2005244481.tif 000008
【図７】
2005244481.tif 000009
【図８】
2005244481.tif 000010